(57)【要約】    【課題】居住者のみならず管理人や警備会社による防犯設定の解除を容易として利便性を高めるとともに、不審者による警報の発報の解除を困難として防犯性を高める。    【解決手段】防犯センサ２が設置された住戸内外の窓やドア、若しくはその付近から住戸内へと不審者が侵入し、警報の発報が居室親機３にて行われたとき、タッチパネル操作部３５にて特定のタッチ操作を行うと、このタッチ操作を検出したＣＰＵ３６にて座標情報（のパターン）が順次読み出される。ＣＰＵは、順次読み出された座標情報（のパターン）と予めメモリ４２に記憶されているユーザーパターンとを比較照合し、警報の発報から一定時間経過したときには順次読み出された座標情報（のパターン）とユーザーパターンとを比較照合する、或いは順次読み出された座標情報（のパターン）とユーザーパターンとユーザーパターンおよびマスターパターンのうち何れか一方とを比較照合し、比較照合された結果、一致したときには防犯設定を解除し、不一致のときには防犯設定を維持する。    【選択図】図２
2005328474.tif 000002
【特許請求の範囲】
【請求項１】
来訪者が居住者を呼び出して通話を行うための玄関子機（１）と、前記玄関子機からの呼び出しを確認した居住者が応答して前記来訪者との間で通話を行うとともに、防犯センサ（２）が接続され前記防犯センサからの入力により警報を発報するための居室親機（３）とを備え、
前記居室親機は、前記防犯センサからの入力により警報を発報するためのスピーカ（３０）と、前記防犯センサの防犯設定および解除の操作を行うためのタッチパネル操作部（３５）と、前記防犯設定を解除するため前記タッチパネル操作部の操作により順次読み出される座標情報を予めメモリ（４２）に記憶されている座標情報と比較照合する制御を行い、比較照合された結果、一致したときには前記防犯設定を解除し、不一致のときには前記防犯設定を維持するためのＣＰＵ（３６）とを有し、
前記ＣＰＵは、前記タッチパネル操作部の操作により入力されて前記メモリに記憶される座標情報として前記居住者によって使用されるユーザーパターン（Ｐ1）を新規登録し、その後に変更する機能を有し、
前記メモリは、管理人や警備会社によって使用されるマスターパターン（Ｐ2）を記憶していることを特徴とするセキュリティ機能付インターホン装置。
【請求項２】
前記ＣＰＵは、前記防犯設定を解除するため前記タッチパネル操作部の操作により入力されて順次読み出される座標情報を予め前記メモリに記憶されている前記ユーザーパターンと比較照合し、前記警報の発報から一定時間経過したとき前記マスターパターンと比較照合し、比較照合された結果、一致したときには前記防犯設定を解除し、不一致のときには前記防犯設定を維持する制御を行うことを特徴とする請求項１記載のセキュリティ機能付インターホン装置。
【請求項３】
前記ＣＰＵは、前記防犯設定を解除するため前記タッチパネル操作部の操作により入力されて順次読み出される座標情報を予め前記メモリに記憶されている前記ユーザーパターンと比較照合し、前記警報の発報から一定時間経過したとき前記ユーザーパターンおよび前記マスターパターンのうち何れか一方と比較照合し、比較照合された結果、一致したときには前記防犯設定を解除し、不一致のときには前記防犯設定を維持する制御を行うことを特徴とする請求項１記載のセキュリティ機能付インターホン装置。
【発明の詳細な説明】
【技術分野】
【０００１】
本発明はセキュリティ機能付インターホン装置に係り、特に、防犯センサからの入力により居室親機にて警報を発報させることができるセキュリティ機能付インターホン装置に関する。
【背景技術】
【０００２】
従来から、この種のセキュリティ機能付インターホン装置として、居住者による防犯設定の解除を容易として利便性を高めるとともに、不審者による警報の発報の解除を困難として防犯性を高めたセキュリティ機能付インターホン装置が提案されている（例えば、特許文献１を参照）。
【０００３】
従来例のセキュリティ機能付インターホン装置によれば、居室親機のタッチパネル操作部の操作により順次読み出される座標情報出力パターンと予めメモリに記憶されている座標情報パターンとが一致したときに防犯設定が解除されることから、この座標情報パターンを知っている居住者のみが帰宅時等において防犯設定の解除を容易に行うことができ利便性が高められる。これに対して、座標情報パターンを知らない不審者は、住戸内への侵入による警報の発報を解除することができず防犯性が高められる。
【０００４】
【特許文献１】特開２００３−３２４５３５号公報（段落番号００２０〜００４６、図１〜図５）
【発明の開示】
【発明が解決しようとする課題】
【０００５】
しかしながら、従来例のセキュリティ機能付インターホン装置において、不審者によるる住戸内への侵入を発報するための警報が管理人や警備会社に移報されたとすると、これら管理人や警備会社が住戸内に駆け付けて防犯設定の解除を行う場合、居住者が居室親機のメモリに予め記憶させておいた座標情報パターンを入力せねばならず、この座標情報パターンが居住者により予め変更されていたり管理人や警備会社が知っていない場合には、防犯設定の解除ができず迅速な対応が困難となる虞があった。
【０００６】
本発明は、上述の難点を解消するためになされたもので、居住者のみならず管理人や警備会社による防犯設定の解除を容易として利便性を高めるとともに、不審者による警報の発報の解除を困難として防犯性を高めたセキュリティ機能付インターホン装置を提供することを目的としている。
【課題を解決するための手段】
【０００７】
上述の目的を達成するため、本発明のセキュリティ機能付インターホン装置は、来訪者が居住者を呼び出して通話を行うための玄関子機と、玄関子機からの呼び出しを確認した居住者が応答して来訪者との間で通話を行うとともに、防犯センサが接続され防犯センサからの入力により警報を発報するための居室親機とを備えている。居室親機は、防犯センサからの入力により警報を発報するためのスピーカと、防犯センサの防犯設定および解除の操作を行うためのタッチパネル操作部と、防犯設定を解除するためタッチパネル操作部の操作により順次読み出される座標情報を予めメモリに記憶されている座標情報と比較照合する制御を行い、比較照合された結果、一致したときには防犯設定を解除し、不一致のときには防犯設定を維持するためのＣＰＵとを有している。ＣＰＵは、タッチパネル操作部の操作により入力されてメモリに記憶される座標情報として居住者によって使用されるユーザーパターンを新規登録し、その後に変更する機能を有している。メモリは、管理人や警備会社によって使用されるマスターパターンを記憶している。
【０００８】
また、本発明のセキュリティ機能付インターホン装置において、（居室親機の）ＣＰＵは、防犯設定を解除するためタッチパネル操作部の操作により入力されて順次読み出される座標情報を予めメモリに記憶されているユーザーパターンと比較照合し、警報の発報から一定時間経過したときマスターパターンと比較照合し、比較照合された結果、一致したときには防犯設定を解除し、不一致のときには防犯設定を維持する制御を行うものである。
【０００９】
また、本発明のセキュリティ機能付インターホン装置において、（居室親機の）ＣＰＵは、防犯設定を解除するためタッチパネル操作部の操作により入力されて順次読み出される座標情報を予めメモリに記憶されているユーザーパターンと比較照合し、警報の発報から一定時間経過したときユーザーパターンおよびマスターパターンのうち何れか一方と比較照合し、比較照合された結果、一致したときには防犯設定を解除し、不一致のときには防犯設定を維持する制御を行うものである。
【発明の効果】
【００１０】
本発明のセキュリティ機能付インターホン装置によれば、防犯センサの防犯設定を解除するための有効な選択順序として居住者によって使用されるユーザーパターンおよび管理人や警備会社によって使用されるマスターパターンを居室親機のメモリに予め記憶させることができ、ユーザーパターンについては新規登録後に任意に変更することができる。
【００１１】
また、本発明のセキュリティ機能付インターホン装置によれば、防犯センサが設置された住戸内外の窓やドア、若しくはその付近から住戸内へと不審者が侵入し、警報の発報が居室親機にて行われたとき、タッチパネル操作部にて特定のタッチ操作を行うと、このタッチ操作を検出したＣＰＵにて座標情報（のパターン）が順次読み出される。ＣＰＵは、順次読み出された座標情報（のパターン）と予めメモリに記憶されているユーザーパターンとを比較照合し、警報の発報から一定時間経過したときには順次読み出された座標情報（のパターン）とユーザーパターンとを比較照合する、或いは順次読み出された座標情報（のパターン）とユーザーパターンとユーザーパターンおよびマスターパターンのうち何れか一方とを比較照合し、比較照合された結果、一致したときには防犯設定を解除し、不一致のときには防犯設定を維持することにより、居住者のみならず管理人や警備会社による防犯設定の解除が容易となり利便性を高められるとともに、不審者による警報の発報の解除が困難となり防犯性が高められる。
【００１２】
さらに、本発明のセキュリティ機能付インターホン装置によれば、管理人や警備会社は、警報の発報後しか防犯設定の解除を行うことができないため防犯性が高められる。
【発明を実施するための最良の形態】
【００１３】
以下、本発明のセキュリティ機能付インターホン装置を適用した最良の実施の形態例について、図面を参照して説明する。
【００１４】
図１は、本発明の第１の実施例によるセキュリティ機能付インターホン装置の構成を示すシステム説明図である。
【００１５】
図１のシステム説明図に示すセキュリティ機能付インターホン装置は、住戸外、例えば、住戸玄関に設置されており、来訪者が住戸内に在室中の居住者を呼び出して通話を行うための玄関子機１と、住戸内外の窓やドア、若しくはその付近に設置されており、不審者による住戸内への侵入を検知するための防犯センサ２と、住戸内に設置されており、子機ラインＬ1を介して接続された玄関子機１からの呼び出しが報知され、この呼び出しに応答した居住者が来訪者との間で通話を行うとともに、センサラインＬ2を介して接続された防犯センサ２からの入力により警報を発報するための居室親機３とから構成されている。
【００１６】
図１のシステム説明図において、玄関子機１は、来訪者が居住者を呼び出すために操作する呼出ボタン１０と、呼出操作を行った来訪者や住戸玄関の周囲環境の映像を撮像するためのカメラ１１と、来訪者が居住者との間で通話を行うための音声（送話音声、受話音声）を入出力するマイク（以下、子機マイクという。）１２およびスピーカ（以下、子機スピーカという。）１３とを有している。
【００１７】
また、居室親機３は、玄関子機１からの呼び出しの内容を示す呼出音や音声メッセージ、防犯センサ２の防犯設定が完了した内容を示す報知音や音声メッセージがそれぞれ出力されるとともに、防犯センサ２からの入力により警報を発報するにあたり当該警報の内容を示す警報音や音声メッセージが出力され、さらに、居住者が来訪者との間でハンズフリー拡声通話を行うにあたり当該来訪者の音声（受話音声）が出力されるスピーカ（以下、親機スピーカという。）３０と、親機スピーカ３０とともに来訪者がハンズフリー拡声通話を行うために使用し、音声（送話音声）を入力するマイク（以下、親機マイクという。）３１と、親機スピーカ３０および親機マイク３１を使用したハンズフリー拡声通話を行うにあたり居住者が応答のために操作する通話ボタン３２と、居住者が来訪者との間でハンドセット通話を行うにあたり音声（送話音声、受話音声）を入出力する送受話器３３と、玄関子機１からの呼び出しの内容を示す文字データや絵データが表示されるとともに、防犯センサ２からの入力により警報を発報するにあたり当該警報の内容を示す文字データや絵データが表示され、さらに、玄関子機１のカメラ１１にて撮像された映像や防犯センサ２の防犯設定解除のためのパターン入力画面、防犯設定完了画面、防犯設定解除画面等をそれぞれ出画するためのＬＣＤ（Liquid Crystal Display）、有機ＥＬ（Electro Luminescence）等のモニタ３４と、モニタ３４に出画される画面毎に割り当てられた座標情報を有しており、居住者が防犯設定の解除のためのパターン入力を行う、防犯設定を完了させる、居住者または管理人や警備会社が防犯設定を解除させるための操作を行うタッチパネル操作部３５とを有している。
【００１８】
図２は、本発明の第１の実施例によるセキュリティ機能付インターホン装置において、居室親機３の具体的な構成を示すブロック図である。
【００１９】
なお、図２のブロック図において、玄関子機１および防犯センサ２の具体的な構成の説明は省略する。
【００２０】
図２のブロック図において、居室親機３には、上述の親機スピーカ３０、親機マイク３１、通話ボタン３２、送受話器３３、モニタ３４、タッチパネル操作部３５と、当該居室親機の構成各部をそれぞれ制御するためのＣＰＵ（Central Processing Unit）３６と、玄関子機１からの呼び出しを検出するための呼出検出回路３７と、防犯センサ２にて検知された警報を検出するためのセンサ検出回路３８と、親機スピーカ２０から出力させる上述の呼出音や音声メッセージ、報知音や音声メッセージ、警報音や音声メッセージをそれぞれ生成して信号処理を行う、例えば増幅するための音声合成回路３９と、親機スピーカ３０および親機マイク３１を使用した居住者によるハンズフリー拡声通話、または送受話器３３を使用した居住者によるハンドセット通話のうち何れか一方を可能とするための通話路を形成する通話回路４０と、玄関子機１のカメラ１１にて撮像された映像であり信号処理が行われた映像変調信号を復調してモニタ３４の呼出・映像表示画面３４ａ（後述する）に出画させるための映像復調回路４１と、防犯センサ２の防犯設定を解除するために居住者によって使用されるユーザーパターンＰ1（後述する）を新規登録または変更登録するとともに、管理人や警備会社によって使用されるマスターパターンＰ2（後述する）が予め記憶されたＲＡＭ（Random Access Memory）等のメモリ４２と、ＣＰＵ３６、呼出検出回路３７、映像復調回路４１の構成各部および子機ラインＬ1の間の信号伝送路をそれぞれ形成するためのインターフェース（以下、子機側親機Ｉ／Ｆという。）４３と、センサ検出回路３８およびセンサラインＬ2の間の信号伝送路を形成するためのインターフェース（以下、センサ側親機Ｉ／Ｆという。）４４とが備えられている。
【００２１】
また、居室親機３のモニタ３４は、玄関子機１からの呼び出しの内容を示す文字データや絵データを表示するとともに、当該玄関子機のカメラ１１にて撮像された映像を出画するための呼出・映像表示画面３４ａと、防犯センサ２からの入力により警報の内容を示す文字データや絵データを表示するための警報表示画面３４ｂと、防犯センサ２の防犯設定を解除するために居住者によって使用されるユーザーパターンＰ1（後述する）や管理人や警備会社によって使用されるマスターパターンＰ2（後述する）を入力するための絵データや色データ等を表示するパターン入力画面３４ｃと、防犯センサ２の防犯設定が完了した内容を示す文字データや絵データを表示するための防犯設定完了画面３４ｄと、防犯センサ２の防犯設定を解除するための絵データや色データ等が表示された防犯設定解除画面３４ｅとを有しており、これらの画面はＣＰＵ３６の制御により出画が切り換えられる。
【００２２】
さらに、居室親機３のタッチパネル操作部３５は、防犯センサ２の防犯設定を解除するために居住者によって使用されるユーザーパターンＰ1（後述する）を予めメモリ４２に記憶（登録）するためにタッチ操作が行われるパターン入力部３５ａと、居住者が防犯設定を完了させるためにタッチ操作を行う防犯設定部３５ｂと、居住者のみならず管理人や警備会社が防犯設定を解除させるためにタッチ操作を行う防犯設定解除部３５ｃとを有している。
【００２３】
このように構成された本発明の第１の実施例によるセキュリティ機能付インターホン装置において、以下、具体的な動作について説明する。
【００２４】
なお、本発明の実施例において、住戸玄関に居る来訪者により図１のシステム説明図に示す玄関子機１の呼出ボタン１０が操作され、図２のブロック図に示す居室親機３の親機スピーカ３０からの呼出音や音声メッセージの出力およびモニタ３４が有する呼出・映像表示画面３４ａに表示／出画された文字データや絵データ、映像をもとに上述の呼び出しを来訪者の識別と併せて確認した住戸内に在室中の居住者が当該来訪者との間で通話を行う、例えば、居住者がハンズフリー拡声通話を行うために通話ボタン３２を操作した後、親機スピーカ３０および親機マイク３１を使用して玄関子機１の子機マイク１２および子機スピーカ１３との間の通話路を形成させる動作、或いは居住者がハンドセット通話を行うために送受話器３３を使用して玄関子機１の子機マイク１２および子機スピーカ１３との間の通話路を形成させる動作については、従来例や他の先行技術（特許文献、非特許文献）にて開示されている内容と同様であることから説明は省略する。
【００２５】
図２のブロック図において、防犯センサ２の防犯設定を解除するため、居住者によって使用されるユーザーパターンＰ1を居室親機３のメモリ４２に予め記憶（登録）させるためには、先ず、居住者がタッチパネル操作部３５のパターン入力部３５ａをタッチ操作する。このタッチ操作を検出したＣＰＵ３６は、図３の画面構成図に示すようなパターン入力画面３４ｃをモニタ３４に出画させる。この後、モニタ３４に出画されているパターン入力画面３４ｃ上の絵データ、ここでは「風船、（うさぎの）顔、（うさぎの）耳、（うさぎの）胴体」、色データ、ここでは「青、赤、白、黄、緑、黒」および決定ボタンのうち、居住者がタッチパネル操作部３５をタッチ操作して、例えば（１）風船→（２）黄→（３）（うさぎの）耳→（４）白→（５）決定ボタンの順序で選択すると、選択された当該データにそれぞれ割り当てられている座標情報（のパターン）がＣＰＵ３６にて順次読み出され、これを検出したＣＰＵ３６の制御により、防犯センサ２の防犯設定を解除するための有効な選択順序として居住者によって使用されるユーザーパターンＰ1｛（１）風船→（２）黄→（３）（うさぎの）耳→（４）白｝がメモリ４２に新規登録される。
【００２６】
なお、居住者により居室親機３のメモリ４２に新規登録された上述のユーザーパターンＰ1｛（１）風船→（２）黄→（３）（うさぎの）耳→（４）白｝は、その後において、タッチパネル操作部３５のパターン入力部３５ａを使用した他のユーザーパターンの選択入力によって変更（変更登録）することができる（詳述せず）。
【００２７】
また、居室親機３のメモリ４２には、上述のユーザーパターンＰ1｛（１）風船→（２）黄→（３）（うさぎの）耳→（４）白｝のみならず、防犯センサ２の防犯設定を解除するための有効な選択順序として管理人や警備会社によって使用されるマスターパターンＰ2、例えば（１）風船→（２）黒→（３）（うさぎの）耳→（４）緑が予め記憶されているものとする。
【００２８】
次に、防犯センサ２の防犯設定を解除するための有効な選択順序として居住者によって使用されるユーザーパターンＰ1｛（１）風船→（２）黄→（３）（うさぎの）耳→（４）白｝および管理人や警備会社によって使用されるマスターパターンＰ2｛（１）風船→（２）黒→（３）（うさぎの）耳→（４）緑｝が予めメモリ４２に記憶されている状態において、居住者が住戸内を外出等で不在とする前にタッチパネル操作部３５の防犯設定部３５ｂをタッチ操作すると、このタッチ操作を検出したＣＰＵ３６は、音声合成回路３９を制御して防犯センサ２の防犯設定が完了した内容を示す報知音や音声メッセージ、例えば「ピンポーン、防犯設定が完了しました。」を親機スピーカ３０から出力させるとともに、モニタ３４を制御して出画させた防犯設定完了画面３４ｄ上に例えば「防犯設定が完了しました。」のような文字データを表示させ、これらを確認した後、居住者は住戸内を不在にする。
【００２９】
次に、防犯センサ２の防犯設定が行われている状態において、外出先から住戸内に帰宅した居住者が防犯設定の解除を行うために居室親機３のタッチパネル操作部３５の防犯設定解除部３５ｃをタッチ操作すると、このタッチ操作を検出したＣＰＵ３６は、モニタ３４を制御して図４（ａ）の画面構成図に示すような防犯設定解除画面３４ｅを出画させる。この後、居住者がタッチパネル操作部３５の防犯設定解除部３５ｃをタッチ操作して、予めメモリ４２に記憶されている上述のユーザーパターンＰ1と同一のパターン、すなわち、モニタ３４に出画されている防犯設定解除画面３４ｅ上の絵データ「風船、（うさぎの）顔、（うさぎの）耳、（うさぎの）胴体」、色データ「青、赤、白、黄、緑、黒」および決定ボタンのうち（１）風船→（２）黄→（３）（うさぎの）耳→（４）白→（５）決定ボタンの順序で選択すると、選択された当該データにそれぞれ割り当てられている座標情報（のパターン）がＣＰＵ３６にて順次読み出される。また、ＣＰＵ３６は、順次読み出された座標情報（のパターン）と予めメモリ４２に記憶されている上述のユーザーパターンＰ1とを比較照合する。ここでは、順次読み出された座標情報（のパターン）とユーザーパターンＰ1とが一致することから防犯センサ２の防犯設定が解除される。
【００３０】
次に、防犯センサ２の防犯設定が行われている状態において、外出先から住戸内に帰宅した居住者が防犯設定を解除させるために居室親機３のタッチパネル操作部３５の防犯設定解除部３５ｃをタッチ操作して選択入力した座標情報（のパターン）が、予めメモリ４２に記憶されている上述のユーザーパターンＰ1｛（１）風船→（２）黄→（３）（うさぎの）耳→（４）白｝と一致せず不一致であると検出したＣＰＵ３６は、居住者による防犯設定の解除の操作を無効であると判断して当該防犯設定を維持する。
【００３１】
次に、防犯センサ２の防犯設定が行われている状態において、不審者が住戸内外の窓やドア、若しくはその付近から住戸内に侵入すると、この侵入を検知した防犯センサ２からの出力信号がセンサラインＬ2、居室親機３のセンサ側親機Ｉ／Ｆ４４を介してセンサ検出回路３８へと伝送される。
【００３２】
居室親機３のセンサ検出回路３８は、防犯センサ２からの出力信号を検出すると、不審者による住戸内への侵入があることを示す防犯異常信号をＣＰＵ３６に出力する。
【００３３】
居室親機３のＣＰＵ３６は、センサ検出回路３８からの防犯異常信号を検出すると、音声合成回路３９を制御して不審者による住戸内への侵入があることを示す警報音や音声メッセージ、例えば「ブーブー、窓やドアにて防犯異常が発生しました。」を親機スピーカ３０から出力させるとともに、モニタ３４を制御して出画させた警報表示画面３４ｂ上に例えば「窓やドアにて防犯異常が発生しました。」のような文字データを表示させて警報の発報を行う。
【００３４】
なお、居室親機３のＣＰＵ３６は、上述の警報の発報を親機スピーカ３０およびモニタ３４を使用して行うのみならず、不審者による住戸内への侵入があることを示す警報音や音声メッセージを音声合成回路３９から子機側親機Ｉ／Ｆ４３、子機ラインＬ1を介して玄関子機１に出力し、当該玄関子機の子機スピーカ１３から出力させたり、管理人や警備会社に移報（警報移報）させることもできる（詳述せず）。
【００３５】
次に、居室親機３（のＣＰＵ３６）からの警報移報（および／または玄関子機１からの警報の発報）を確認した管理人や警備会社が居室親機３が設置された住戸へと駆け付け、防犯設定を解除させるためにタッチパネル操作部３５の防犯設定解除部３５ｃをタッチ操作すると、このタッチ操作を検出したＣＰＵ３６は、モニタ３４を制御して図４（ｂ）の画面構成図に示すような防犯設定解除画面３４ｅを出画させる。この後、管理人や警備会社がタッチパネル操作部３５の防犯設定解除部３５ｃをタッチ操作して、予めメモリ４２に記憶されている上述のマスターパターンＰ2と同一のパターン、すなわち、モニタ３４に出画されている防犯設定解除画面３４ｅ上の絵データ「風船、（うさぎの）顔、（うさぎの）耳、（うさぎの）胴体」、色データ「青、赤、白、黄、緑、黒」および決定ボタンのうち（１）風船→（２）黒→（３）（うさぎの）耳→（４）緑→（５）決定ボタンの順序で選択すると、選択された当該データにそれぞれ割り当てられている座標情報（のパターン）がＣＰＵ３６にて順次読み出される。また、ＣＰＵ３６は、親機スピーカ３０およびモニタ３４に出画されている警報表示画面３４ｂを使用した上述の警報の発報から一定時間経過が経過しているため、順次読み出された座標情報（のパターン）と予めメモリ４２に記憶されている上述のマスターパターンＰ2とを比較照合する。ここでは、順次読み出された座標情報（のパターン）とマスターパターンＰ2とが一致することから防犯センサ２の防犯設定が解除され、上述の警報の発報が停止する。
【００３６】
なお、上述のように、居室親機３（のＣＰＵ３６）からの警報移報（および／または玄関子機１からの警報の発報）を確認した管理人や警備会社が居室親機３が設置された住戸へと駆け付け、防犯設定を解除させるにあたり、タッチパネル操作部３５の防犯設定解除部３５ｃをタッチ操作して選択入力され順次読み出された座標情報（のパターン）と比較照合される座標情報（のパターン）は、予めメモリ４２に記憶されている上述のマスターパターンＰ2｛（１）風船→（２）黒→（３）（うさぎの）耳→（４）緑｝に限定されず、予めメモリ４２に記憶されている上述のユーザーパターンＰ1｛（１）風船→（２）黄→（３）（うさぎの）耳→（４）白｝およびマスターパターンＰ2のうち何れか一方と比較照合させることができる。すなわち、居室親機３が設置された住戸へと駆け付けた管理人や警備会社は、防犯設定を解除させるにあたりユーザーパターンＰ1を知っている場合には、マスターパターンＰ2のみならずユーザーパターンＰ1を使用して防犯センサ２の防犯設定を解除でき、親機スピーカ３０およびモニタ３４に出画されている警報表示画面３４ｂを使用した上述の警報の発報が停止される。
【００３７】
次に、住戸内へと侵入した不審者が居室親機３の親機スピーカ３０およびモニタ３４に出画された警報表示画面３４ｂを使用して行われている上述の警報の発報を停止させるためにタッチパネル操作部３５の防犯設定解除部３５ｃをタッチ操作すると、このタッチ操作を検出したＣＰＵ３６は、モニタ３４を制御して図４（ｃ）の画面構成図に示すような防犯設定解除画面３４ｅを出画させる。この後、不審者がタッチパネル操作部３５の防犯設定解除部３５ｃをタッチ操作して、モニタ３４に出画されている防犯設定解除画面３４ｅ上の絵データ「風船、（うさぎの）顔、（うさぎの）耳、（うさぎの）胴体」、色データ「青、赤、白、黄、緑、黒」および決定ボタンのうち、例えば（１）（うさぎの）顔→（２）赤→（３）青→（４）風船→（５）決定ボタンの順序で選択すると、選択された当該データにそれぞれ割り当てられている座標情報（のパターン）がＣＰＵ３６にて順次読み出される。また、ＣＰＵ３６は、親機スピーカ３０およびモニタ３４に出画されている警報表示画面３４ｂを使用した上述の警報の発報から一定時間経過が経過しているため、順次読み出された座標情報（のパターン）と予めメモリ４２に記憶されている上述のマスターパターンＰ2｛（１）風船→（２）黒→（３）（うさぎの）耳→（４）緑｝とを比較照合する。ここでは、順次読み出された座標情報（のパターン）とマスターパターンＰ2とが一致せず不一致であることから防犯センサ２の防犯設定が維持され、ゆえに、親機スピーカ３０およびモニタ３４に出画されている警報表示画面３４ｂを使用した上述の警報の発報も維持される。
【００３８】
なお、上述のように、住戸内へと侵入した不審者が防犯設定を解除させるにあたり、タッチパネル操作部３５の防犯設定解除部３５ｃをタッチ操作して選択入力され順次読み出された座標情報（のパターン）と比較照合される座標情報（のパターン）は、予めメモリ４２に記憶されている上述のマスターパターンＰ2に限定されず、予めメモリ４２に記憶されている上述のユーザーパターンＰ1およびマスターパターンＰ2のうち何れか一方と比較照合させることができ、何れのパターンと比較照合させた場合にも当該パターンが一致せず不一致であることから防犯センサ２の防犯設定が維持され、ゆえに、親機スピーカ３０およびモニタ３４に出画されている警報表示画面３４ｂを使用した上述の警報の発報も維持される。
【００３９】
上述の説明から明らかなように、本発明の第１の実施例によるセキュリティ機能付インターホン装置によれば、居住者のみならず管理人や警備会社による防犯設定の解除が容易であり利便性が高められるのに対して、不審者による警報の発報の解除は困難であり防犯性が高められる。
【００４０】
次に、本発明の第１の実施例によるセキュリティ機能付インターホン装置と同様な効果を有する他の実施例として、第１の実施例を構成する玄関子機１、防犯センサ２および居室親機３を集合住宅の複数の住戸毎に設置させた図５のシステム説明図に示すセキュリティ機能付インターホン装置を、以下、本発明の第２の実施例によるセキュリティ機能付インターホン装置として説明する。
【００４１】
図５のシステム説明図において、集合住宅の複数の住戸毎に設置された居室親機３、３、・・・は、居室親機ラインＬ3を介して制御機４に接続（バス接続）されており、この制御機６は、玄関機ラインＬ4を介して集合玄関に設置された集合玄関機５、管理室親機ラインＬ5を介して管理室（管理室内）に設置された管理室親機６へとそれぞれ接続されているばかりでなく、所定の通信ライン（詳述せず）を介して警備会社に接続されている。
【００４２】
なお、制御機６は、通常、集合玄関に居る来訪者が集合玄関機５にて所定の呼出操作を行った場合において呼出先である居室親機３または管理室親機６にて呼び出しを報知させ、この報知を確認した居住者または管理人が応答したときには通話路を形成する機能、住戸内に在室中の居住者が居室親機３にて所定の呼出操作を行った場合において呼出先である管理室親機６にて呼び出しを報知させ、この報知を確認した管理人が応答したときには通話路を形成する機能、管理室内に在室中の管理人が管理室親機６にて所定の呼出操作を行った場合において呼出先である居室親機３にて呼び出しを報知させ、この報知を確認した居住者が応答したときには通話路を形成する機能等を有している。
【００４３】
このように構成された本発明の第２の実施例によるセキュリティ機能付インターホン装置によれば、第１の実施例と同様、防犯センサ２の防犯設定が行われている状態において、不審者が住戸内外の窓やドア、若しくはその付近から住戸内に侵入した際の警報を、玄関子機１にて発報させることのみならず、当該警報の情報を居室親機３から制御機４へと伝送させ、この情報を検出した制御機４の制御により集合玄関機５、管理室親機６および警備会社へと移報（警報移報）できることから、居住者のみならず管理人や警備会社による防犯設定の解除が容易であり利便性が高められるのに対して、不審者による警報の発報の解除は困難であり防犯性が高められる。
【産業上の利用可能性】
【００４４】
本発明の実施例（第１、第２の各実施例）によれば、防犯センサ２の防犯設定を解除するための有効な選択順序として管理人や警備会社によって使用されるマスターパターンＰ2が居室親機３のメモリ４２に予め記憶されている場合について説明したが、これに限定されず、ユーザーパターンＰ1と同様、タッチパネル操作部３５のパターン入力部３５ａを使用した他のマスターパターンの選択入力によって変更（変更登録）することもできる。
【００４５】
また、本発明の実施例（第１、第２の各実施例）によれば、居室親機３の親機スピーカ３０および親機マイク３１を使用したハンズフリー拡声通話を行うにあたり居住者が応答のために操作する通話ボタン３２とタッチパネル操作部３５とを別途に設けたが、これに限定されず、通話ボタン３２と同様な操作機能をタッチパネル操作部３５に備えることもできる。
【００４６】
さらに、本発明の実施例（第１、第２の各実施例）によれば、居住者が来訪者との間で通話を行うにあたり使用する通話機能として、居室親機３の親機スピーカ３０、親機マイク３１および通話ボタン３２を使用したハンズフリー拡声通話、或いは送受話器３３を使用したハンドセット通話を選択させたが、これに限定されず、上述のハンズフリー通話機能のみが備えられている当該居室親機、或いは上述のハンドセット通話機能のみが備えられている当該居室親機の適用も好適である。
【図面の簡単な説明】
【００４７】
【図１】図１は、本発明の第１の実施例によるセキュリティ機能付インターホン装置の構成を示すシステム説明図である。
【図２】図２は、本発明の第１の実施例によるセキュリティ機能付インターホン装置の具体的な構成を示すブロック図である。
【図３】図３は、本発明の実施例（第１、第２の各実施例）によるセキュリティ機能付インターホン装置において、居室親機のモニタに出画されるパターン入力画面を示す画面構成図である。
【図４】図４（ａ）、（ｂ）、（ｃ）は、本発明の実施例（第１、第２の各実施例）によるセキュリティ機能付インターホン装置において、それぞれ居室親機のモニタに出画される防犯設定解除画面を示す画面構成図である。
【図５】図５は、本発明の第２の実施例によるセキュリティ機能付インターホン装置の構成を示すシステム説明図である。
【符号の説明】
【００４８】
１……玄関子機
２……防犯センサ
３……居室親機
３０……親機スピーカ（スピーカ）
３５……タッチパネル操作部
３６……ＣＰＵ
４２……メモリ
Ｐ1……（居住者によって使用される）ユーザーパターン
Ｐ2……（管理人や警備会社によって使用される）マスターパターン
【図１】
2005328474.tif 000003
【図２】
2005328474.tif 000004
【図３】
2005328474.tif 000005
【図４】
2005328474.tif 000006
【図５】
2005328474.tif 000007